(57)【要約】【課題】  凹凸のピッチが小さい場合や、帆布の剛性が高いような場合でも帆布には確実に凹凸形状をつけることができ、帆布の凹凸への沿いにくさの原因は解消され、センターベルトの凹凸形状が確実に形成されるセンターベルトの製造方法を提供する。【解決手段】  ブロックを嵌合固定してなる高負荷伝動ベルトに用いるセンターベルトであって表面に保護材を積層したセンターベルトの製造方法において、凹凸形状を有する金型１００上に保護材２５を配置して、押圧部材１０４により保護材２５を金型１００の凹凸形状に沿わせ、押圧部材１０４を取り除いた後にゴムシート１０７を積層して加熱加圧することによって加硫する工程を有する。【選択図】図６
2010149352.tif 000002
【特許請求の範囲】
【請求項１】
ゴム中に心体を埋設したセンターベルトと、該センターベルトの少なくとも片面には長手方向に沿って所定ピッチで凹凸を有し、該凹凸と嵌合固定したブロックとからなる高負荷伝動ベルトに用いるセンターベルトであって表面に繊維強化樹脂からなる保護材を積層したゴムからなるセンターベルトの製造方法において、凹凸形状を有する金型上に前記保護材を、繊維の方向をベルト進行方向に合わせて配置し、押圧部材により保護材を金型の凹凸形状に沿わせ、押圧部材を取り除いた後にゴムシートを積層して加熱加圧することによって加硫する工程を含むことを特徴とするセンターベルトの製造方法。
【請求項２】
金型の少なくとも凹部には吸引孔を設けており、押圧部材により金型に押し付けられた保護材を吸引して凹凸形状を保持する請求項１記載のセンターベルトの製造方法。
【請求項３】
吸引孔は金型の凹条部の底に設けており、吸引しながらセンターベルトの成形をおこなうことによってセンターベルトの凸条部にゴムの突起を形成するようにした請求項２記載のセンターベルトの製造方法。
【請求項４】
保護材の上に積層するゴムシートは、金型の凹凸形状に合わせて予め型付けしてなる請求項１〜３のいずれかに記載のセンターベルトの製造方法。
【発明の詳細な説明】
【技術分野】
【０００１】
本発明は、センターベルトに長手方向にブロックを配置した自動車、自動二輪車や農機具などの無段変速装置など高負荷を伝動するような用途に用いられる高負荷伝動ベルト用センターベルトの製造方法であり、センターベルトの凹凸形状を確実に形成することができるセンターベルトの製造方法に関する。
【背景技術】
【０００２】
ベルト式無段変速装置に使用するベルトは、プーリのＶ溝幅を変えることによってプーリに巻きかかる有効径を変化させ変速比を調節する様な変速プーリに巻き掛けて使用するものであり、プーリからの側圧が大きくなるのでベルトは大きな側圧に耐えるものでなくてはならない。また、無段変速の用途以外にも通常のゴムベルトでは寿命が短くなりすぎるような高負荷伝動の用途には、特別に高負荷に耐えうるようなベルトを用いる必要がある。
【０００３】
そのようなベルトとして使用されるものの中に、センターベルトにブロックを固定してベルト幅方向の強度を高めた高負荷伝動ベルトがあり、具体的な構成としては、心体をゴムなどのゴム中に埋設したセンターベルトにボルトやリベットなどの止着材を用いてセンターベルトに使用しているゴムよりも比較的硬質のブロックを止着固定したものや、特許文献１に示すようにブロックの両側面に溝を有しており、一対のセンターベルトを前記側面に設けた溝に嵌合したようなベルトがある。
【０００４】
このようなベルトに用いるセンターベルトは張力を担う部材であり、ゴム中に高強力低伸度の心線が埋設されており、センターベルトの内外周面にはブロックと嵌合するための凹部と凸部が交互に設けられている。例えばブロック両側面の溝内にも、前記センターベルトの凹部に対応する位置に凸部が設けられ、互いに嵌合することによってブロックはセンターベルトに対して高負荷伝動ベルトの進行方向に動かないよう固定されている。センターベルトの表面には補強のためにカバー帆布が積層されている。
【０００５】
このようなセンターベルトの製造方法は、カバー帆布とゴムシートを重ね合せてプレスすることよってブロックと噛み合うための凹凸を片面に設けた複合体シートを作製し、該複合体シートを円筒形のモールドに巻きつけて心線を上からスパイラル状に巻き、ゴムシートを巻きつけて加硫する。
【０００６】
加硫後にモールドから取り出して、背面側にゴムシートを積層して再度プレスによって凹凸形状を設けるとともに加硫する。続いて所定幅にカットおよび仕上げ加工することによって、両面に凹凸を有するセンターベルトを得ることができる。
【０００７】
センターベルトとブロックのベルト長手方向の動きを規制するのはこれらの凹凸による噛み合いであり、もしセンターベルトの凹凸が設計どおりに形成されていなければ、センターベルトとブロックとの間の緩みにつながり、両者の間で動きが発生してセンターベルトやブロックの摩耗や摩擦による発熱にもつながり、最後にはセンターベルトが切断して早期に故障に至るといった問題があった。
【０００８】
センターベルトの摩耗を防止するために、センターベルトのカバー帆布の素材としてアラミド繊維などの強度の高い繊維を用いることが考えられるが、アラミド繊維などからなる帆布は剛性が高く金型の凹凸形状に沿いにくい。よって、尚更のことセンターベルトの凹凸形状が形成されにくくなっている。
【０００９】
特許文献２には歯付ベルトの製造方法において、金型に吸引孔を設けておき歯付ベルトの歯部表面に配置する帆布を吸引することによって金型の歯形状に型付けておき、その上から心線やゴムシートを巻いて加硫成形することでベルトの歯形が確実に形成された歯付ベルトを製造することができるという技術が開示されている。
【００１０】
【特許文献１】特開昭６３−３４３４２号公報
【特許文献２】特開昭６２−７５３２号公報
【発明の開示】
【発明が解決しようとする課題】
【００１１】
センターベルトの表面にカバー帆布を設けることで、センターベルトの補強をすることができるが、ベルト走行中におけるブロックとの間の摩擦によってカバー帆布が摩耗してしまうこともあり、センターベルト表面の更なる補強が望まれるところである。しかし、補強をすることでセンターベルト表面の凹凸形状の形成は困難になる。
【００１２】
そこで本発明では、センターベルトとブロックとを噛み合せたベルトにおいて、センターベルトの凹凸形状を確実に形成することができて、ブロックとの間に緩みが生じにくくベルト切断などの故障を低減し寿命の長い高負荷伝動ベルトの提供を目的とする。
【課題を解決するための手段】
【００１３】
以上のような目的を達成するために本発明の請求項１では、ゴム中に心体を埋設したセンターベルトと、該センターベルトの少なくとも片面には長手方向に沿って所定ピッチで凹凸を有し、該凹凸と嵌合固定したブロックとからなる高負荷伝動ベルトに用いるセンターベルトであって表面に繊維強化樹脂からなる保護材を積層したゴムからなるセンターベルトの製造方法において、凹凸形状を有する金型上に前記保護材を、繊維の方向をベルト進行方向に合わせて配置し、押圧部材により保護材を金型の凹凸形状に沿わせ、押圧部材を取り除いた後にゴムシートを積層して加熱加圧することによって加硫する工程を含むことを特徴とする。
【００１４】
請求項２では、金型の少なくとも凹部には吸引孔を設けており、押圧部材により金型に押し付けられた保護材を吸引して凹凸形状を保持する請求項１記載のセンターベルトの製造方法としている。
【００１５】
請求項３では、吸引孔は金型の凹条部の底に設けており、吸引しながらセンターベルトの成形をおこなうことによってセンターベルトの凸条部にゴムの突起を形成するようにした請求項２記載のセンターベルトの製造方法としている。
【００１６】
請求項４では、保護材の上に積層するゴムシートは、金型の凹凸形状に合わせて予め型付けしてなる請求項１〜３のいずれかに記載のセンターベルトの製造方法としている。
【発明の効果】
【００１７】
請求項１のようにセンターベルトの表面に設ける繊維強化樹脂からなる保護材を押圧部材にて金型の凹凸形状に沿わせておいてからゴムを積層して加熱・加圧することによって、凹凸のピッチが小さい場合や、帆布の剛性が高いような場合でも帆布には確実に凹凸形状をつけることができるので帆布の凹凸への沿いにくさの原因は解消されるのでセンターベルトの凹凸形状が確実に形成されるようになる。
【００１８】
請求項２においては、請求項１での押圧部材による保護材の型付けに加えて金型に吸引孔を設けて保護材に凹凸形状を型付けた状態で吸引し金型に吸着させているのでセンターベルトの凹凸形状はより確実に形成されることになる。
【００１９】
請求項３では、吸引孔は金型の凹条部の底に設けており、吸引しながらセンターベルトの成形をおこなうことによってセンターベルトの凸条部にゴムの突起を形成するようにしていることからセンターベルトとブロックとの嵌合力を強くすることができる。
【００２０】
請求項４では、保護材の上に積層するゴムシートは、金型の凹凸形状に合わせて予め型付けしたものを用いることによって、保護材をより確実に金型の凹凸形状に沿わせることができる。
【発明を実施するための最良の形態】
【００２１】
図１は、本発明方法により製造されるセンターベルトを用いた高負荷伝動ベルト１の一例を示す斜視概略図であり、図２はセンターベルトの断面図である。本発明の高負荷伝動ベルト用センターベルトの製造方法にて製造されるセンターベルトを用いる高負荷伝動ベルト１は、ゴム４内にロープ状の心体５をスパイラル状に埋設してなる同じ幅の二本のセンターベルト３ａ、３ｂと、側面２ａ、２ｂにセンターベルトを３ａ、３ｂを嵌めこむ溝１４、１５を有したブロック２からなっている。
【００２２】
このセンターベルト３ａ、３ｂの上下面２２、２３に所定ピッチで形成された凹条部１８、１９にブロック２の溝１４、１５内において後で説明するように係止固定されているものである。このブロック２の両ブロック側面２ａ、２ｂは、プーリのＶ溝と係合する傾斜を有する面となっており、駆動されたプーリから動力を受け取って、係止固定されているセンターベルト３ａ、３ｂを引張り、駆動側プーリの動力を従動側プーリに伝動している。また、センターベルト３ａ、３ｂの上下の表面には繊維強化樹脂からなる保護材２４、２５を、その保護材２４、２５を構成する繊維がベルト走行方向に配向するように積層されている。保護材２４、２５はカバー帆布を積層した上に更に積層したものであってもよい。
【００２３】
繊維強化樹脂からなる保護材２４、２５は、繊維に熱硬化性樹脂を含浸して成形した繊維強化樹脂（ＦＲＰ）であり、このような保護材２４、２５をセンターベルト３の表面に、保護材２４、２５を構成する繊維の向きをベルト走行方向に合わせて積層配置することで、ブロック２との間の摩擦によりセンターベルト２表面が摩耗して、亀裂を生じ、最後には切断にいたってしまうといったベルトの故障を抑制することができるので、より長寿命なベルトとすることができる。本発明において保護材２４、２５を構成する繊維の向きをベルトの走行方向に合わせるとしているが、基本的にブロック２と接する繊維の向きをベルト走行方向に配向するのであって、例えば保護材を複数層配置するような場合に、ブロック２に接しないものがベルト走行方向に直角向きになっていたり、ベルト走行方向に配向した繊維を絡めるために部分的にそれ以外の向きの繊維が入っていても構わないものとする。
【００２４】
保護材２４、２５に用いることができる繊維としては、炭素繊維を挙げることができ、また保護材２４、２５の繊維に含浸する熱硬化性樹脂としては、エポキシ樹脂を挙げることができる。
【００２５】
また、保護材２４、２５はカバー帆布の上に繊維強化樹脂を積層した構成にすることも可能であり、そうすることによってカバー帆布と繊維強化樹脂とでセンターベルトをより強固に保護することができる。両者の積層一体化は、例えば次のような方法で行うことができる。繊維に半硬化の熱硬化性樹脂を含浸させたプリプレグを用意して、それをカバー帆布に重ね合わせ、加熱・加圧することによって半硬化状態の熱硬化性樹脂をカバー帆布側に滲ませると共に硬化させて両者を一体化し、その後冷却することで積層一体化する。
【００２６】
ブロック２は、図１に示すように、上ビーム部１１および下ビーム部１２と、上下ビーム部１１、１２の中央部同士を連結したセンターピラー１３からなっており、ブロック２の両側面にはセンターベルト３ａ、３ｂを嵌めこむ溝１４、１５が形成されている。また、図２に示すように溝１５内の溝上面１６および溝下面１７にはセンターベルト３の上面２２に設けた凹条部１８と下面２３に設けた凹条部１９に係合する凸条部２０、２１が設けられており、これによってブロック２とセンターベルト３ａ、３ｂは係止固定されている。センターベルトの下面２３には凹条部１９が所定ピッチで形成されており、当然ながらそれらの間には凸条部２６が存在する。
【００２７】
センターベルト３ａ、３ｂは、図２に示すように心体５がセンターベルトの厚み方向のほぼ中央に埋設されており、その内周側に位置する内層４ａとその外周側に位置する外層４ｂからなっている。
【００２８】
本発明においてこのようなセンターベルトの製造方法としては、まず、図３のようにセンターベルトの下面２３の凹条部１９および凸条部２６を形成する凸条部１０１ａ、１０１ｂ、１０１ｃ、１０１ｄと凹条部１０２ａ、１０２ｂ、１０２ｃ、１０２ｄを交互に配置した金型１００に繊維強化樹脂からなる保護材２５を配置する。次いで図４に示すような金型の凹条部１０２と同形状の凸条部１０３を有する押圧部材１０４を用いて保護材２５を金型１００の凹条部１０２ａ、１０２ｂ、１０２ｃ、１０２ｄに押圧して型付けを行う。保護材２５は凹条部１０２に押圧することによって凹条部１０２内に押し込まれる。隣り合う凹条部１０２ａ、１０２ｂに保護材２５を同時に押圧するとその範囲内で保護材２５に十分なたるみがないと長さが不足してしまう可能性もある。よって、押圧作業は、例えば凹条部１０２ａに押圧して、凹条部１０２ｂに押圧して、凹条部１０２ｃに押圧するという具合に一つずつ順番に行っていくことが好ましい。そうすることによって保護材２５を凹条部の形状に確実に沿わせることができる。
【００２９】
押圧部材１０４は図４に示すような一つの凸条部１０３を有するものでもよいが、図５のようにこのような一つの凸条部１０３を有する部材１０４を屈曲可能に且つ凸条部１０３のピッチが金型１００の凹条部１０２ａ、１０２ｂ、１０２ｃ、１０２ｄのピッチと合うように多数連結したものを使用することもできる。使用する場合は凸条部１０３が外側を向くようにして巻物にし、金型１００の端にある凹条部１０２ａに一つ目の凸条部１０３を用いて繊維強化樹脂からなる保護材２５を押圧し、巻物を順次解いていき二つ目の凸条部１０３で保護材２５を凹条部１０２ｂに対して押圧する。このようにして凹条部１０２ｃと１０２ｄに対しても保護材２５を押圧し型付けすることができる。
【００３０】
図６は押圧部材の更に別の例を示しており、凸条部１０３の先端が鋭角になっているピニオンロールを押圧部材１０４として用いており、金型１００に保護材２５を配置した状態で、前記ピニオンロールの先端で保護材２５を凹条部１０２ａに押し付けて保護材２５に折り目をつける。引き続きピニオンロール１０４を転がして保護材２５を凹条部１０２ｂ、１０２ｃ、１０２ｄ、１０２ｅに押し付けるとともに折り目をつけて金型１００の形状に沿わせることができる。
【００３１】
特に炭素繊維やアラミド繊維などを用いた保護材２５の場合、金型の凹凸形状に沿わせるのが困難であり、押圧部材の凸条部１０３は先端が刃物のように鋭角になっているものを使用して、切れ目を入れて沿わせたり、場合によっては切断して凹凸形状に沿わせるといったことも可能である。
【００３２】
また、金型１００の少なくとも凹条部１０２ａ、１０２ｂ、１０２ｃ、１０２ｄには吸引孔１０５が設けられている。吸引孔１０５は真空ポンプなどに接続されており、型付けした保護材２５を吸引し押圧部材１０４を取り除いた後も保護材２５が金型１００に密着して型付けした形状が崩れないようにすることができる。
【００３３】
この吸引孔１０５は保護材２５を配置した状態で吸引すると確かに保護材２５が金型に密着して良好な成形を行うことができるが、まだ保護材２５のない状態で吸引すると吸引孔１０５からいくらでも空気を吸い込んでしまい、保護材２５を配置した吸引孔での吸引力を低下させることにもなってしまう。よって、吸引孔１０５には図示はしないが開閉弁等を設けて保護材２５を設けていない吸引孔では吸引を行わないようにすることで保護材２５を金型１００により密着させることができ、より良好な成形を行うことができる。
【００３４】
このように押圧部材１０４で押圧し型付けした保護材２５を吸引して金型１００に密着させた状態で上からゴムシート１０７を置いてプレス板１０８にてプレスすることで片面に凹条部１９を含む凹凸を有する内層４ａとなる保護材付の複合シート１０９を作製する（図７）。その複合シート１０９を所定の周長になるようカットして、例えば図８に示すようなスピニング装置を用いて、円筒形の金型１１１に巻きつけて上から心線１１２をスピニングし、接着ゴム層（図示しない）を巻きつけて加硫しスリーブとする。
【００３５】
更に、外層４ｂとなるゴムシート１１４と保護材２４を積層する（図９）。上記で作製した凹凸と噛み合う凹凸形状を有する下側の金型１００と新たに積層したゴムシート１１４に凹凸を設けるための凹凸形状を有する上側の金型１１６との間でプレスして外層側にも凹条部１８を含む凹凸を形成するとともにゴムを加硫する（図１０）。順送りに未加硫部分を加硫していくことによってベルトスリーブ全周を加硫することができる。次いで所定幅にカットすることによってセンターベルトを製造することができる。
【００３６】
吸引孔１０５の位置を金型１００の凹条部１０２ａ、１０２ｂ、１０２ｃ、１０２ｄの最も底となる場所に設けることによって、出来上がったセンターベルトの凸条部２６の頂部にゴムからなる突起を形成することができる。そうすることによって、センターベルトをブロック２に嵌め込んだときの嵌合力を強くすることができ、センターベルトとブロックとの間の動きを防止することになり好ましい形態といえる。
【００３７】
本発明では以上のように保護材２５を押圧部材で押圧することで金型の凹凸形状に沿わせておいてからゴムシートを重ねて成形を行っており、特に形状が出にくい小サイズの凸条部の場合や保護材の素材としてアラミド繊維等剛性の高いものを用いている場合でも確実に金型通りの凹凸を形成することができる。
【００３８】
また、保護材２５を金型の凹凸形状に沿わせた後に積層するゴムシートであるが、このゴムシートも金型の凹凸形状を予め型付けしたゴムシートを用い、金型の凹凸形状に合わせて保護材２５の上から積層することによって、より保護材２５を金型に沿ったものとすることができ、所定形状を有するセンターベルトを得ることができる。
【００３９】
ここで用いる金型１００は円筒形のものを用いて行うことも可能であり、保護材２５を円筒形の金型１００に巻きつける際に端部同士を接合する必要があるが、凹条部内で接合するようにし、１〜３ｍｍ程度の重ね代をとって重ね合わせ熱や超音波等の手段で融着することによって接合することができる。その後未加硫のゴムシート１１４を巻きつけて加熱加圧することによって凹凸を形成した保護材付の複合シート１０９とすることができる。
【００４０】
以上のようにして得られたセンターベルトの凹条部１８、１９にブロック２を嵌め込んでいくことによって最終的に高負荷伝動ベルト１を得ることができる。
【００４１】
また、ブロック内に例えばアルミ合金などからなるインサート材を埋設したブロックでも、インサート材を埋設していないブロックでもどちらでも用いることができる。
【００４２】
ブロックの樹脂として用いることができるのは、ポリアミド樹脂、ポリアミドイミド（ＰＡＩ）樹脂、ポリフェニレンスルフィド（ＰＰＳ）樹脂、ポリブチレンテレフタレート（ＰＢＴ）樹脂、ポリイミド（ＰＩ）樹脂、ポリエーテルスルフォン（ＰＥＳ）樹脂、ポリエーテルエーテルケトン（ＰＥＥＫ）樹脂等の合成樹脂が用いられるが、中でも低摩擦係数で耐摩耗性に優れ、剛性があるとともに曲げに対しても弾力性を有しており、簡単に破損してしまうことのない樹脂がよく、ポリアミド樹脂、なかでもナイロン４６が好ましいといえる。
【００４３】
本発明では前述のようにブロックを形成する合成樹脂中に繊維状の補強材やウィスカ状の補強材を配合することは可能であり、繊維状の補強材は１５〜４０重量％の範囲で配合する。１５重量％未満であると補強効果が少なくブロックの耐摩耗性が十分でないなどの問題があり、４０重量％を超えると樹脂への配合が困難になることや射出成形が困難になるなどの問題があるので好ましくない。
【００４４】
合成樹脂に配合する繊維状補強材としては、アラミド繊維、炭素繊維、ガラス繊維、ポリアミド繊維、ポリエステル繊維などを挙げることができる。その中でも前記のブロックを構成する樹脂で好ましい例である４，６−ナイロンと炭素繊維を組み合わせて用いることによって炭素繊維が４，６−ナイロンの吸水性の欠点を改善し、剛性を大幅に向上させることができて、且つ４，６−ナイロンの有する耐摩耗性、耐衝撃性、耐疲労性を生かすことができるものである。
【００４５】
また、前記繊維状補強材として上記の有機繊維のほかにも酸化亜鉛ウィスカ、チタン酸カリウムウィスカ、ホウ酸アルミニウムウィスカなどの無機繊維を配合してもよい。
【００４６】
また、酸化亜鉛ウィスカは、高比重、高剛性であるため、プーリとの接触時の振動を低減でき、ノイズの発生を小さくすることができる。なお、この酸化亜鉛ウィスカの配合量が少ない場合は添加した効果が発現せず、多すぎると混練できず、成形することが困難となる。
【００４７】
このような材料構成とすることによって、プーリと接する際に受ける側圧にも十分に耐えうる剛性、靭性等の強度を有するとともに、耐摩耗性に優れ、更には、摩擦時に発生する熱に対しても強いブロックとすることが可能となり、プーリから受ける動力を効率よくセンターベルト３ａ、３ｂに引張力として伝えることができ、引張伝動式の高負荷伝動ベルトを構成することができる。
【００４８】
なお、これらの他に、二硫化モリブデン、グラファイト、フッ素系樹脂から選ばれてなる少なくとも一つを混入することによってもブロック２の潤滑性を向上させることができる。フッ素系樹脂としては、ポリ４フッ化エチレン（ＰＴＦＥ）、ポリフッ化エチレンプロピレンエーテル（ＰＦＰＥ）、４フッ化エチレン６フッ化プロピレン共重合体（ＰＦＥＰ）、ポリフッ化アルコキシエチレン（ＰＦＡ）等が挙げられる。
【００４９】
センターベルト３ａ、３ｂのゴム４として使用されるものは、クロロプレンゴム、天然ゴム、ニトリルゴム、スチレン−ブタジエンゴム、水素化ニトリルゴムなどの単一材またはこれらを適宜ブレンドしたゴムあるいはポリウレタンゴム等が挙げられる。そして、心体５としてはポリエステル繊維、ポリアミド繊維、アラミド繊維、ガラス繊維、スチールワイヤ等から選ばれたロープが用いられる。
【００５０】
また、カバー帆布としてはアラミド繊維、ナイロン繊維、ポリエステル繊維等からなるものであり、またそれらを混撚りした糸を使用した帆布や経糸と緯糸で使い分けた帆布なども使用可能である。本発明の方法であればカバー帆布自身の伸縮性は必要ではなく平織り帆布を用いることができる。しかし、綾織り帆布、朱子織り帆布も使用できる。
【００５１】
図１１に示すのは、本発明の製造方法で得られたセンターベルトを適用できる別のベルトの例であり、ビーム部３１の両端から上方に向かって一対のサイドピラー３２、３３が延びており、このサイドピラー３２、３３の上端からそれぞれブロック２の中心に向かって延びるロック部３４、３５が対向するように設けられている。そして、これらビーム部３１、サイドピラー３２、３３及びロック部３４、３５によってセンターベルト３ａ、３ｂが嵌合する嵌合溝３０が形成されている。この嵌合溝３０に、センターベルト３ａ、３ｂが、ロック部３４、３５間の開口部より挿入され装着される。また、ロック部３４、３５の嵌合溝３０側には、凸部３７がそれぞれ設けられており、この凸部３７が、センターベルト３ａ、３ｂに所定ピッチで設けられている凹部３６に嵌合する。これによって、センターベルト３ａ、３ｂは、装着後はブロック２から抜けにくい状態となる。
【産業上の利用可能性】
【００５２】
本発明は自動車や自動二輪車、一般産業機械、農業機械などの駆動に用いられるベルトの張力体となるセンターベルトの製造方法として利用される。
【図面の簡単な説明】
【００５３】
【図１】本発明に係る高負荷伝動ベルトの一例を示す斜視概略図である。
【図２】高負荷伝動ベルトの側断面図である。
【図３】金型に保護材を置いたところの断面図である。
【図４】金型にて内層側の凹凸を成形したところの断面図である。
【図５】押圧部材の例を示す正面図である。
【図６】押圧部材の更に別の例を示す正面図である。
【図７】保護材においたゴムシートを成形しているところの断面図である。
【図８】心線をスピニングしているところの概要図である。
【図９】外層側のゴムシートと保護材を積層したところの断面図である。
【図１０】金型にて外層側の凹凸を成形しているところの断面図である。
【図１１】本発明に係る高負荷伝動ベルトの他の例を示す斜視概略図である。
【符号の説明】
【００５４】
１        高負荷伝動ベルト
２        ブロック
３ａ      センターベルト
３ｂ      センターベルト
４        ゴム
４ａ      内層
４ｂ      外層
５        心体
１１      上ビーム部
１２      下ビーム部
１３      センターピラー
１４      溝
１５      溝
１６      溝上面
１７      溝下面
１８      凹条部
１９      凹条部
２０      凸条部
２１      凸条部
２５      保護材
１００    金型
１０１ａ  凸条部
１０１ｂ  凸条部
１０１ｃ  凸条部
１０１ｄ  凸条部
１０２ａ  凹条部
１０２ｂ  凹条部
１０２ｃ  凹条部
１０２ｄ  凹条部
１０３    凸条部
１０４    押圧部材
１０６    ゴムシート
１１０    複合シート
１１１    金型
１１２    心線
１１３    スリーブ
１１４    ゴムシート
１１６    金型
【図１】
2010149352.tif 000003
【図２】
2010149352.tif 000004
【図３】
2010149352.tif 000005
【図４】
2010149352.tif 000006
【図５】
2010149352.tif 000007
【図６】
2010149352.tif 000008
【図７】
2010149352.tif 000009
【図８】
2010149352.tif 000010
【図９】
2010149352.tif 000011
【図１０】
2010149352.tif 000012
【図１１】
2010149352.tif 000013